(57)【特許請求の範囲】
【請求項１】
ヘッドボックス（１０）内に設けられたドラムケース（１２）に巻取ドラム（１４）を回転自在に支持し、昇降コード（１６）の一端を該巻取ドラム（１４）に連結し、ブラインド本体を昇降するべく巻取ドラム（１４）の回転により昇降コード（１６）を巻取ドラム（１４）に巻取り及び巻解きするようにしたブラインド巻取装置において、
巻取ドラム（１４）に一端が軸支されると共に、他端側が巻取ドラム（１４）に対して着脱可能となったコード押え部材（１８）を設け、該コード押え部材（１８）に、コード押え部材（１８）の他端側が巻取ドラム（１４）に対して外れた状態で昇降コード（１６）の一端が取付け可能となった係止部（１８ｂ）を設けることを特徴とするブラインド巻取装置。
【請求項２】
コード押え部材（１８）の前記係止部は、コード押え部材の他端に形成されるスリット（１８ｂ）であり、コード押え部材（１８）の他端側が巻取ドラムから外れた状態で当該スリット（１８ｂ）の一端が解放されることを特徴とする請求項１記載のブラインド巻取装置。
【請求項３】
前記コード押え部材（１８）の他端側が巻取ドラム（１４）から外れた状態で、該コード押え部材（１８）がドラムケース（１２）に係合することを特徴とする請求項１または２記載のブラインド巻取装置。
【請求項４】
コード押え部材（１８）の一端側に突出部（１８ｅ）が形成されると共に、ドラムケース（１２）に該突出部（１８ｅ）を収容可能な受部（１２ｃ）が形成され、コード押え部材（１８）の他端側が巻取ドラム（１４）から外れた状態で、前記突出部（１８ｅ）が前記受部（１２ｃ）内に進入することを特徴とする請求項３記載のブラインド巻取装置。
【請求項５】
前記コード押え部材（１８）の一端は、巻取ドラム（１４）に対して軸方向に移動可能に案内されており、その移動範囲の一端において、巻取ドラム（１４）に対して回動可能であることを特徴とする請求項１ないし４のいずれか１項に記載のブラインド巻取装置。
【請求項６】
前記巻取ドラム（１４）に軸方向に伸びる長孔（１４ｆ）が形成され、コード押え部材（１８）には該長孔（１４ｆ）に摺動可能にはめ込まれる回動ピン（１８ａ）が形成され、長孔（１４ｆ）の一端においてのみ回動ピン（１８ａ）が回動可能となることを特徴とする請求項５記載のブラインド巻取装置。
【請求項７】
前記コード押え部材（１８）の外周面は、巻取ドラム（１４）の外周面と共に昇降コード（１６）が巻付けられる面を構成することを特徴とする請求項１ないし６のいずれか１項に記載のブラインド巻取装置。
【発明の詳細な説明】
【０００１】
【発明の属する技術分野】
本発明は、横型ブラインド、ローマンシェードのようなブラインドにおいてブラインド本体の昇降を行うために、昇降コードの一端を巻取ドラムに連結し、巻取ドラムの回転により昇降コードを巻取ドラムに巻取り及び巻解きするようにしたブランド巻取装置に関する。
【０００２】
【従来の技術】
従来のブラインド巻取装置としては、巻取ドラムに形成された孔に昇降コードを通して結び目を作成して、孔に結び目を係止させることにより、昇降コードを巻取ドラムに連結することが一般的に行われている。しかしながら、かかる作業は、ヘッドボックス内で回転自在となった巻取ドラムに対して行わなければならないため、作業性が悪いという問題がある。
【０００３】
より簡単に昇降コードの連結・連結解除作業を行うことができるブラインド巻取装置として、特開平１１−５６５９２号公報及び特開平１１−２０６５５２号公報に記載されたものが提案されている。
【０００４】
特開平１１−５６５９２号公報に記載されたものでは、巻取ドラムの軸方向一側の周面から放射状に周方向に所定間隔をあけて突出する固定用リブと案内用リブと、固定用リブの半径方向外周面から半径方向内方に切り込まれたスリットと、案内用リブの軸方向他側の角部を斜めに切除してなる案内用の斜面とからなり、昇降コードは、その先端に形成した結び目をスリットに掛け止めして巻取ドラムに連結している。
【０００５】
また、特開平１１−２０６５５２号公報に記載されたものでは、巻取ドラムの一側にキャッチを一体回動するように設け、昇降コードの先端に付設したクリップを巻取ドラムに脱着且つ摺動自在に外嵌し、クリップにノブを一体に設け、ノブがはまり込むスリットをキャッチに一体に設けている。そして、クリップのノブに形成された昇降コード穴に昇降コードを通して昇降コードの先端に結び目を作って昇降コードの先端にクリップを係止し、クリップを巻取ドラムにはめ込み、キャッチのスリットを真下に向けて、クリップを摺動させてキャッチにはめ込むことで、昇降コードの一端を巻取ドラムに連結している。
【０００６】
以上のような構成により、これらのブライド巻取装置では、巻取ドラムへの昇降コードの連結及び連結解除作業が簡単にできるようにして、ユーザーがブラインド洗濯時などに、ブラインドをヘッドレールからの取り外しを簡単に行うことができるようにしている。
【０００７】
【発明が解決しようとする課題】
しかしながら、かかる上記の公報に記載されたものでは、次のような問題がある。
【０００８】
昇降コードの巻取ドラムに連結する作業を行う際に、巻取ドラムは回転するおそれがあり、その場合には巻取ドラムを連結可能な位置まで回転し戻さなければならず、取付作業が煩わしいという問題がある。また、特に、特開平１１−５６５９２号のようなタイプでは、昇降コードの一端を、ヘッドボックス内まで差し込まなければならないため、取付作業が困難であるという問題もある。また、特開平１１−２０６５５２号のようにクリップといった部品を用いたタイプでは、部品の紛失を招くおそれがある。
【０００９】
本発明はかかる課題に鑑みなされたもので、巻取ドラムが回転することなく、簡単に昇降コードの巻取ドラムへの連結作業を行うことができるブラインド巻取装置を提供することをその目的とする。
【００１０】
【課題を解決するための手段】
前述した目的を達成するために、請求項１記載の発明は、ヘッドボックス内に設けられたドラムケースに巻取ドラムを回転自在に支持し、昇降コードの一端を該巻取ドラムに連結し、ブラインド本体を昇降するべく巻取ドラムの回転により昇降コードを巻取ドラムに巻取り及び巻解きするようにしたブラインド巻取装置において、
巻取ドラムに一端が軸支されると共に、他端側が巻取ドラムに対して着脱可能となったコード押え部材を設け、該コード押え部材に、コード押え部材の他端側が巻取ドラムに対して外れた状態で昇降コードの一端が取付け可能となった係止部を設けることを特徴とする。
【００１１】
コード押え部材の一端は巻取ドラムに取り付いたままで、他端側を巻取ドラムから外して、昇降コードを係止部に取付または取り外すことで、昇降コードの巻取ドラムへの連結・連結解除を行うことができる。コード押え部材の他端側を作業者に近づけたところで、昇降コードの取付または取り外しを行うことができ、作業を簡単にすることができる。また、コード押え部材の他端側を押さえながら作業を行うことで、巻取ドラムの回転を防ぐことができる。コード押え部材は巻取ドラムから完全に分離しないで連結・連結解除を行うことができるため、部品の紛失を招くおそれもない。
【００１２】
請求項２記載の発明は、請求項１記載のコード押え部材の前記係止部が、コード押え部材の他端に形成されるスリットであり、コード押え部材の他端側が巻取ドラムから外れた状態で当該スリットの一端が解放されることを特徴とする。コード押え部材の他端側が巻取ドラムに取り付けられているときには、スリットから昇降コードが外れることなく、巻取ドラムから外れた状態でのみスリットの開放された端部から昇降コードの取付、取り外しが行うことができる。
【００１３】
請求項３記載の発明は、請求項１または２記載の前記コード押え部材の他端側が巻取ドラムから外れた状態で、該コード押え部材がドラムケースに係合することを特徴とする。これにより、前記コード押え部材の他端側が巻取ドラムから外れた状態での巻取ドラムの回転を確実に防ぐことができる。
【００１４】
請求項４記載の発明は、請求項３記載のコード押え部材の一端側に突出部が形成されると共に、ドラムケースに該突出部を収容可能な受部が形成され、コード押え部材の他端側が巻取ドラムから外れた状態で、前記突出部が前記受部内に進入することを特徴とする。これにより、前記コード押え部材の他端側が巻取ドラムから外れた状態での巻取ドラムの回転を確実に防ぐことができる。
【００１５】
請求項５記載の発明は、請求項１ないし４のいずれか１項に記載の前記コード押え部材の一端が、巻取ドラムに対して軸方向に移動可能に案内されており、その移動範囲の一端において、巻取ドラムに対して回動可能であることを特徴とする。コード押え部材を移動させることで、コード押え部材の他端の巻取ドラムに対する着脱を行うことができる。
【００１６】
請求項６記載の発明は、請求項５記載の前記巻取ドラムに軸方向に伸びる長孔が形成され、コード押え部材には該長孔に摺動可能にはめ込まれる回動ピンが形成され、長孔の一端においてのみ回動ピンが回動可能となることを特徴とする。コード押え部材の巻取ドラムに対する移動と回動とを長孔によって切り換えることができる。
【００１７】
請求項７記載の発明は、請求項１ないし６のいずれか１項に記載の前記コード押え部材の外周面が、巻取ドラムの外周面と共に昇降コードが巻付けられる面を構成することを特徴とする。これにより、通常のブラインド操作時には、コード押え部材が巻取ドラムの昇降コードの巻取り及び巻解きを妨害することはない。
【００１８】
【発明の実施の形態】
以下、図面を用いて本発明の実施の形態を説明する。図１ないし図９は本発明に係るブラインド巻取装置の実施形態を表す図である。
【００１９】
このブラインド巻取装置は、ヘッドボックス１０内に設けられたドラムケース１２と、このドラムケース１２に回転自在に支持される巻取ドラム１４と、を備えており、巻取ドラム１４に昇降コード１６の一端が連結される。昇降コード１６の他端は、ブラインド本体（即ち、例えば横型ブラインドでは、スラット列及びスラット列の下方に設けられたボトムレールからなり、例えばローマンシェードではスクリーンまたはスクリーン下端付近に設けられたウエイトバーからなる）に連結される。
【００２０】
巻取ドラム１４は、図４ないし図６に示すように、主に、巻き付け部１４ａと、その両端に形成されたフランジ部１４ｂ、１４ｃとからなり、巻き付け部１４ａとフランジ部１４ｂ、１４ｃとを貫通して軸方向に中心孔１４ｄが形成されている。中心孔１４ｄには非円形断面の外周面を持つ巻取軸２０が貫通しており、この巻取軸２０が、中心孔１４ｄに部分的に形成された非円形断面の内周面と嵌合することにより、巻取ドラム１４は巻取軸２０と共に回転するようになっている。巻取軸２０には、例えば、ブラインドの端部側に設けられたプーリが連結され、プーリに操作コードが掛け渡される。操作コードを引っ張ることにより、プーリ、巻取軸２０を介して巻取ドラム１４を回転させることができるようになっている。
【００２１】
巻取ドラム１４の外周面には、フランジ部１４ｃ、巻き付け部１４ａ及びフランジ部１４ｂの途中に渡って軸方向に伸びる切欠溝１４ｅが形成されており、この切欠溝１４ｅにコード押え部材１８が挿入される。コード押え部材１８は、その一端が巻取ドラム１４に軸支される。即ち、巻取ドラム１４のフランジ部１４ｃにおいては、前記切欠溝１４ｅの両側に軸方向に伸びる長孔１４ｆ、１４ｆが形成され、この長孔１４ｆの端部には円形孔１４ｇが形成されており、この長孔１４ｆに、コード押え部材１８の一端の両側面に形成された回動ピン１８ａ、１８ａがはめ込まれる。各回動ピン１８ａは、図６に示したように、各長孔１４ｆによって軸方向に移動可能に案内される一方で、長孔１４ｆの端部に形成された円形孔１４ｇ内においてのみ回動可能となっている。
【００２２】
コード押え部材１８の他端には一対のフック部１８ｄが形成され、図７に示すように、これら一対のフック部１８ｄは、フランジ部１４ｂに前記切欠溝１４ｅに延長して形成された一対の係止孔１４ｉにそれぞれ係止される。また、コード押え部材１８の他端は、巻取ドラム１４のフランジ部１４ｂに対応して外径方向（図７（ｂ）、（ｃ）においては下方）に膨出しており、その膨出部に他端から伸びるスリット（係止部）１８ｂが形成されている。膨出部の内径方向の部分は昇降コード１６の結び目１６ａが収容できる凹部１８ｆとなっている。コード押え部材１８の他端の両側面には、小突起１８ｃ、１８ｃが形成されており、各小突起１８ｃは、フランジ部１４ｂにおいて切欠溝１４ｅの両側に形成された垂直溝１４ｈ、１４ｈに軽く係止される。さらに、コード押え部材１８の一端には、前記回動ピン１８ａが形成されていた部分よりもさらに軸方向に突出する突出部１８ｅが形成されている。
【００２３】
ドラムケース１２は、図８に示すように、その側壁に巻取ドラム１４の両端を回動可能に軸支する円形孔１２ａ、１２ａが形成され、その底壁にヘッドボックス１０の底面に長手方向に設けられた開口１０ａに整合する開口１２ｂが形成されている。さらに、一端側の側壁には、前記コード押え部材１８の突出部１８ｅに対応して、突出部１８ｅが進入可能な受部１２ｃが形成される。
【００２４】
以上のように構成されるブラインド巻取装置において、図１に示すように、コード押え部材１８は、常時は巻取ドラム１４の切欠溝１４ｅの中に挿入されており、その回動ピン１８ａが（円形孔１４ｇ以外の）長孔１４ｆの中にあり、各小突起１８ｃは各垂直溝１４ｈに係止され、フック部１８ｄは係止孔１４ｉに係止されており、巻取ドラム１４と一体的になっている。
【００２５】
図１は、昇降コード１６が巻取ドラム１４に既に連結されている状態を示しているが、この状態から、今、昇降コード１６の連結解除を行う場合に、次のような手順で作業を行う。まず、巻取ドラム１４を回転して、このコード押え部材１８が最下方に位置するようにし、次いで、図２に示すように、コード押え部材１８を巻取ドラム１４のフランジ部１４ｃの方に向かってスライドさせ、フック部１８ｄを係止孔１４ｉから外し、同時に小突起１８ｃを垂直溝１４ｈから外して、回動ピン１８ａをフランジ部１４ｃに形成された長孔１４ｆ内でスライドさせ、円形孔１４ｇまで移動させる。この状態で、回動ピン１８ａは円形孔１４ｇ内で回転可能となり、図３に示すように、コード押え部材１８全体として、一端を中心として、他端側が巻取ドラム１４から離脱するようにして、回動することができるようになる。この回動により、コード押え部材１８の他端側がヘッドボックス１０の開口１０ａよりも下方から取り出され、同時にコード押え部材１８の他端に形成されたスリット１８ｂの端部が解放される。昇降コード１６の端部はスリット１８ｂを挿通して、その結び目１６ａが凹部１８ｆに収容されているが、解放されたスリット１８ｂの端部から昇降コード１６を取り出すことにより、昇降コード１６を外すことができる。このとき、コード押え部材１８の他端側はヘッドボックス１０の開口１０ａよりも下方に飛び出しており、また、コード押え部材１８を押えながら作業を行うことにより、巻取ドラム１４の回転は禁止される。その上、突出部１８ｅがドラムケース１２の受部１２ｃ内に進入しているため、コード押え部材１８は基端となる一端においてドラムケース１２と係合しており、従って、コード押え部材１８及び巻取ドラム１４の回転が禁止される。従って、作業中に巻取ドラム１４が不用意に回転することがなく、コード押え部材１８のドラムケース１２及びヘッドボックス１０から突出した他端側が、ドラムケース１２またはヘッドボックス１０に干渉するおそれもなく、コード押え部材１８の破損を防止することができる。
【００２６】
再び、昇降コード１６を巻取ドラム１４に連結するには、図３に示す状態において、スリット１８ｂの解放された端部から結び目１６ａを予め形成した昇降コード１６を挿通させる。そして、昇降コード１６をスリット１８ｂ及び凹部１８ｆに取り付けた後、コード押え部材１８を、逆の手順で元に戻すことで、スリット１８ｂの一端は非解放となり、昇降コード１６は巻取ドラム１４に連結されて、図１の状態に戻る。この状態で、操作コードを操作して、巻取ドラム１４を回転させることにより、巻取ドラム１４の巻き付け部１４ａ及びコード押え部材１８に昇降コード１６が巻取られ、または巻き付け部１４ａ及びコード押え部材１８から昇降コード１６が巻解かれる。コード押え部材１８の外周面が巻取ドラム１４の外周面と一体になって昇降コード１６のための巻付き面を構成するため、コード押え部材１８が昇降コード１６の巻取り、巻解きの障害となることはない。ブラインド本体を交換、洗濯する為にヘッドボックス１０から取り外す必要がある場合には、昇降コード１６を巻き付け部１４ａ及びコード押え部材１８から完全に巻き解いた後、先に説明した手順で、コード押え部材１８を回動させて他端側を巻取ドラム１４から外すことで、昇降コード１６の巻取ドラム１４への連結を外すことができる。
【００２７】
以上の連結・連結解除作業において、コード押え部材１８は、ヘッドボックス１０から下方へ引き出されるため、作業者はその昇降コード１６の取付、取り外し作業を行いやすい。コード押え部材１８がヘッドボックス１０から引き出されることで、巻取ドラム１４がコード押え部材１８に対して、無関係に回転することなく、巻取ドラム１４とコード押え部材１８との回転関係が保持される。従って、プーリと巻取ドラム１４が完全に巻き解かれたときとの回転角度関係が維持されるために、昇降時に操作コードのつなぎ目がプーリとの回転を規制するような組立ミスも防止することができる。また、このときコード押え部材１８の突出部１８ｅがドラムケース１２の受部１２ｃに進入されて、巻取ドラム１４の回転が確実に禁止されるため、作業を行いやすく、また、コード押え部材１８の破損なども防ぐことができる。
【００２８】
【発明の効果】
以上説明したように本発明によれば、コード押え部材の他端側を巻取ドラムから外して、昇降コードの取付、取り外し作業を行うために、その作業を簡単に行うことができ、巻取ドラムの回転を防ぐことができる。コード押え部材は巻取ドラムから完全に分離しないで連結・連結解除を行うことができるため、部品の紛失を招くおそれもない
【図面の簡単な説明】
【図１】本発明の実施形態によるブラインド巻取装置の半断面図であり、昇降コードが巻取ドラムに連結されている状態を表す。
【図２】本発明の実施形態によるブラインド巻取装置の半断面図であり、図１の状態からコード押え部材を一端側にスライドさせた状態を表す。
【図３】本発明の実施形態によるブラインド巻取装置の半断面図であり、図２の状態からコード押え部材の一端を中心として、他端側が巻取ドラムから離脱するように回動させた状態を表す。
【図４】（ａ）は巻取ドラムの底面図、（ｂ）は巻取ドラムの側面図、（ｃ）は巻取ドラムの半断面図である。
【図５】（ａ）は巻取ドラムの図４（ｃ）の５ａ−５ａ線に沿って見た断面図、（ｂ）は図４（ｃ）の５ｂ−５ｂ線に沿って見た断面図、（ｃ）は図４（ｃ）の５ｃ−５ｃ線に沿って見た断面図である。
【図６】巻取ドラムの長孔の拡大図である。
【図７】（ａ）はコード押え部材の平面図、（ｂ）は図７（ａ）の７ｂ−７ｂ線に沿って見た断面図、（ｃ）はコード押え部材の側面図、（ｄ）は図７（ｃ）の矢印７ｄから見た矢視図である。
【図８】ドラムケースの斜視図である。
【図９】（ａ）はブラインド巻取装置の斜視図であり、（ｂ）は図９（ａ）の矢印９ｂから見た矢視図である。
【符号の説明】
１０  ヘッドボックス
１２  ドラムケース
１２ｃ  受部
１４  巻取ドラム
１４ｆ  長孔
１６  昇降コード
１８  コード押え部材
１８ａ  回動ピン
１８ｂ  スリット（係止部）
１８ｅ  突出部
【図１】
0003650017.tif 000002
【図２】
0003650017.tif 000003
【図３】
0003650017.tif 000004
【図４】
0003650017.tif 000005
【図５】
0003650017.tif 000006
【図６】
0003650017.tif 000007
【図７】
0003650017.tif 000008
【図８】
0003650017.tif 000009
【図９】
0003650017.tif 000010